(57)【要約】【課題】椅子における着座者と接して荷重を受ける荷重支持部材の基板構造において、基板に形成した開口部の大きさを大としても良好な着座感を得るとともに、荷重支持部材の表面の見栄えを良好に維持する。【解決手段】背凭れ基板に、その表面から裏面に貫通する開口部８７を一定に複数形成した開口形成部を備えることによって、背凭れ基板の面方向の弾性変形を助長させた荷重支持部材の基板構造において、前記開口形成部の内の特定部位にのみ、開口部８７の対向端部間に渡る架設部９５を備え、架設部９５は、前記対向端部間に渡る開口中心線ｋ３に対して少なくとも一部が湾曲又は屈曲して延びる撓み助長部９７を備える。【選択図】図１２
2015134086.tif 000002
【特許請求の範囲】
【請求項１】
椅子における着座者と接して荷重を受ける受面構成部の基板に、その表面から裏面に貫通する開口部を一定に複数形成した開口形成部を備えることによって、前記基板の面方向の弾性変形を助長させた荷重支持部材の基板構造において、
前記開口形成部の内の特定部位にのみ、前記開口部の対向端部間に渡る架設部を備え、
前記架設部は、前記対向端部間に渡る開口中心線に対して少なくとも一部が湾曲又は屈曲して延びる撓み助長部を備えることを特徴とする椅子の荷重支持部材の基板構造。
【請求項２】
前記架設部は、前記開口部の対向端部から前記開口中心線に沿って延びる延設片を備えることを特徴とする請求項１に記載の椅子の荷重支持部材の基板構造。
【請求項３】
前記撓み助長部は、前記開口中心線を挟んで対称をなすように分離した架設線条体を有することを特徴とする請求項１又は２に記載の椅子の荷重支持部材の基板構造。
【請求項４】
前記開口部は、その外周を囲む外周線条体によって形成され、
前記撓み助長部は、前記外周線条体よりも細い架設線条体で形成されることを特徴とする請求項１から３の何れか一項に記載の椅子の荷重支持部材の基板構造。
【請求項５】
前記開口部は、正面視で六角形状をなすように形成され、
前記架設部は、前記開口部の正面視形状における互いに対向する一対の対向辺部間に渡って設けられることを特徴とする請求項１から４の何れか一項に記載の椅子の荷重支持部材の基板構造。
【請求項６】
前記荷重支持部材は、着座者の背中を支持する背凭れを構成し、
前記背凭れは、その下端部よりも上方に着座者側に突出する身体支持部を形成し、
前記架設部は、前記身体支持部を含む部位に形成されることを特徴とする請求項１から５の何れか一項に記載の椅子の荷重支持部材の基板構造。
【請求項７】
前記荷重支持部材は、前記基板の表面にクッション材を有することを特徴とする請求項１から６の何れか一項に記載の椅子の荷重支持部材の基板構造。
【発明の詳細な説明】
【技術分野】
【０００１】
本発明は、椅子の荷重支持部材の基板構造に関する。
【背景技術】
【０００２】
上記技術分野に属する基板構造として、例えば下記特許文献１−３に開示されるものが公知である。
これらの文献に開示される基板構造は、椅子における着座者の身体から受ける荷重を支持する荷重支持部材において、着座者と接して荷重を受ける受面構成部の基板に、その表面から裏面へ貫通する開口部を多数形成したもの、あるいは複数の線条体よりなるグリッド形状としたものがある。前記基板は、その面直方向に作用する荷重を受けることによって面方向に広がり易いため、柔らかな着座感を呈するという点で優れる。
【先行技術文献】
【特許文献】
【０００３】
【特許文献１】特許第３８９５０８４号公報
【特許文献２】特許第４２９５２６６号公報
【特許文献３】特許第５２７６３０４号公報
【発明の概要】
【発明が解決しようとする課題】
【０００４】
ところで、着座感をより柔軟にするためには、前記開口部の大きさを極力大きくすることが考えられる。しかし、前記基板は、柔らかな着座感を提供すると同時に、着座者の体重を支え得る強度も備えなくてはならない。このため、開口部の大きさを大とすることには限度があった。また、開口部の大きさを大とすると、開口部の中に身体の一部が落ち込むような感覚があったり開口部を形成する周縁部の形状を感じ易くなったりするという課題もある。さらに、クッション材を有する張り包みタイプの荷重支持部材では、開口部内にクッション材が入り込み易く、荷重支持部材の表面に開口部の跡が付き易いという課題もある。
【０００５】
本発明は上記事情に鑑みてなされたもので、椅子における着座者と接して荷重を受ける荷重支持部材の基板構造において、基板に形成した開口部の大きさを大としても良好な着座感を得るとともに、荷重支持部材の表面の見栄えを良好に維持することを目的とする。
【課題を解決するための手段】
【０００６】
上記目的を達成するために、本発明は以下の手段を採用している。
すなわち、本発明は、椅子における着座者と接して荷重を受ける受面構成部の基板に、その表面から裏面に貫通する開口部を一定に複数形成した開口形成部を備えることによって、前記基板の面方向の弾性変形を助長させた荷重支持部材の基板構造において、前記開口形成部の内の特定部位にのみ、前記開口部の対向端部間に渡る架設部を備え、前記架設部は、前記対向端部間に渡る開口中心線に対して少なくとも一部が湾曲又は屈曲して延びる撓み助長部を備えることを特徴とする。
この構成によれば、開口部の対向端部間に設けた架設部が、開口部の対向端部間に渡る方向で撓み易いくなるため、開口部を大きくして基板における開口形成部を柔軟にした上で、その特定部位の開口部内の樹脂の残存率を大とし、着座者の体重を支え得る強度を確保できる。すなわち、開口部内の架設部でも荷重を支持し、開口部内に身体が落ち込む感覚や開口部の周縁部に接する感覚を抑えることができる。
【０００７】
また、上記基板構造において、前記架設部は、前記開口部の対向端部から前記開口中心線に沿って延びる延設片を備える構成でもよい。
この構成によれば、架設部の撓み助長部が延設片によって開口部の対向端部から確実に切り離され、撓み助長部が独立して変形し易くなるとともに、延設片を中心に架設部が捩じれる変形も容易になり、着座感をより柔軟にできる。
また、上記基板構造において、前記撓み助長部は、前記開口中心線を挟んで対称をなすように分離した架設線条体を有する構成でもよい。
この構成によれば、撓み助長部が開口部内でさらに開口を形成する体裁をなし、荷重を受けた際に面方向に変形し易くなり、着座感をより柔軟にできるとともに、分離した架設線条体により開口部の広範囲に閉塞部材を配し、開口部内に身体が落ち込む感覚等を良好に抑えることができる。
また、上記基板構造において、前記開口部は、その外周を囲む外周線条体によって形成され、前記撓み助長部は、前記外周線条体よりも細い架設線条体で形成される構成でもよい。
この構成によれば、開口部の外周線条体よりも細身の架設線条体により架設部がより変形し易くなり、着座感をより柔軟にできる。
【０００８】
また、上記基板構造において、前記開口部は、正面視で六角形状をなすように形成され、前記架設部は、前記開口部の正面視形状における互いに対向する一対の対向辺部間に渡って設けられる構成でもよい。
この構成によれば、架設部の伸縮により六角形状の開口部の変形のし易さが保たれ、着座感をより柔軟にできる。
また、上記基板構造において、前記荷重支持部材は、着座者の背中を支持する背凭れを構成し、前記背凭れは、その下端部よりも上方に着座者側に突出する身体支持部を形成し、前記架設部は、前記身体支持部を含む部位に形成される構成でもよい。
この構成によれば、背凭れにおける荷重が加わり易い身体支持部での開口部内に身体が落ち込む感覚等を抑えることができる。また、身体支持部が着座者の腰に相当する位置にあれば、より柔軟な支持が望まれる部位において確実に柔軟な着座感を得ることができる。
また、上記基板構造において、前記荷重支持部材は、前記基板の表面にクッション材を有する構成でもよい。
この構成によれば、クッション材を有する張り包みタイプの荷重支持部材において、柔軟な着座感を得るべく基板の開口部を大きくしても、基板の荷重を受け易い特定部位に架設部を設けることによって、当該部位で開口部内にクッション材が入り込み難くし、荷重支持部材の表面に開口部の跡が付き難くして、荷重支持部材の表面の見栄えを良好に維持できる。
【発明の効果】
【０００９】
本発明によれば、椅子における着座者と接して荷重を受ける荷重支持部材の基板構造において、基板に形成した開口部の大きさを大としても良好な着座感を得るとともに、荷重支持部材の表面の見栄えを良好に維持することができる。
【図面の簡単な説明】
【００１０】
【図１】この発明の実施形態における椅子の側面図である。
【図２】上記椅子の平面図である。
【図３】上記椅子の背面図である。
【図４】上記椅子の背面側斜視図である。
【図５】上記椅子の湾曲形状変更手段の構成図である。
【図６】上記湾曲形状変更手段の係合溝が設けられた背凭れの背面図である。
【図７】図６のＡ−Ａ断面図である。
【図８】上記椅子の背凭れ基板の正面図である。
【図９】上記背凭れ基板の平面図である。
【図１０】図８のＢ−Ｂ断面図である。
【図１１】上記背凭れ基板の線条体の湾曲基準線を示した正面図である。
【図１２】上記背凭れ基板の要部の正面図である。
【図１３】上記背凭れ基板の要部の作用説明図であり、（ａ）は弾性変形前、（ｂ）は高さ方向に伸びる弾性変形時をそれぞれ示す。
【発明を実施するための形態】
【００１１】
以下、本発明の一実施形態について図面を参照して説明する。なお、以下の説明では、椅子の座体上に背凭れに背を向けて着座した着座者の「前方」を図中矢印ＦＲで示し、前記着座者の「上方」を図中矢印ＵＰで示し、上記着座者の「左方」を図中矢印ＬＨで示す。
【００１２】
＜椅子全体＞
図１〜図４に示すように、本実施形態の椅子１は、フロアＦ上に載置される脚部２と、脚部２の上端に設置されるボックス状の支基３と、着座者が着座する座体４と、支基３の上面に取り付けられ座体４を前後スライド可能に支持する座受部材５と、座体４に着座した着座者の背中を支持する背凭れ６と、背凭れ６を背後から支える背凭れ支持部材７と、背凭れ６の受面構成部２０の湾曲形状を変更する湾曲形状変更手段８と、を有する。
【００１３】
脚部２は、キャスタ９ａ付きの多岐脚９と、多岐脚９の中央部より起立し昇降機構であるガススプリングを内蔵する脚柱１０と、を有し、脚柱１０の上端部に支基３が水平方向に回転可能に取り付けられている。支基３には、脚柱１０の昇降調整機構と背凭れ支持部材７の傾動調整機構が内蔵されている。背凭れ支持部材７は、側面視略Ｌ字形状を有し、その前部下端が支基３内の傾動調整機構に連結されている。
なお、図中符号１１は支基３上における背凭れ支持部材７の枢支軸であり、符号１２は支基３の側面に突設された傾動調整機構の操作ノブである。
【００１４】
座体４は、骨格部を成す座板１３と、座板１３の上部に取り付けられる座本体１４と、を有する。座本体１４は、詳細な図示は省略するが、座板１３の外周縁部に取り付けられる座枠（不図示）と、座板１３の上面に設置されるウレタン等から成るクッション材（不図示）と、座枠に張設されてクッション材の上方側を覆うシート表皮材１５と、を有する。
【００１５】
背凭れ６は、着座者と接して荷重を受ける受面構成部２０を有する。受面構成部２０は、図２に示す平面視で、後方に凸となる湾曲形状を有する。本実施形態の受面構成部２０は、樹脂成型された背凭れ基板２１と、背凭れ基板２１の前面に設置されるクッション材（不図示）と、背凭れ基板２１に張設されてクッション材を覆うシート表皮材２２と、によって形成されている。なお、図示都合上、背凭れ基板２１は平坦状に示す。
【００１６】
背凭れ６は、図３に示す背面視（正面視と同等）で、四隅が丸みを帯びた略長方形状とされている。また、背凭れ６は、図１に示すように、前方に屈曲する突出部２３を有する。本実施形態の背凭れ６は、図１に示す側面視で、前方に凸の屈曲形状を有している。突出部２３の頂点は、着座者の腰に対応する位置に形成されている。すなわち、突出部２３は、図１に示す側面視で、背凭れ６の下端部よりもやや上方の部分が前方に突出するように、適所で屈曲した形状を有している。
【００１７】
背凭れ支持部材７は、背凭れ６を背後から支えるものである。背凭れ支持部材７は、背凭れ６よりも剛性が高く、背凭れ６で受けた着座者の荷重を支える強度部材である。背凭れ支持部材７は、例えば樹脂成型されており、厚みや大きさ、補強リブの配置等によって背凭れ６よりも剛性が高く構成されている。背凭れ支持部材７は、図３に示す背面視で、背凭れ６の外形と略同じ外形を有する枠部３０を有する。枠部３０は、背面側に大きく開口する開口部３１を有している。
【００１８】
背凭れ支持部材７は、背凭れ６の突出部２３に対応する位置に、前方に屈曲する突出部３２を有している。すなわち、突出部３２は、図１に示す側面視で、枠部３０の下端部よりもやや上方の部分が前方に突出するように、適所で屈曲した形状を有している。この突出部３２には、後述する湾曲形状変更手段８の操作部材５０が配置される。背凭れ支持部材７は、枠部３０の下端部から前方に延出する連結部３３を有する。連結部３３は、支基３内の傾動調整機構に連結されている。
【００１９】
＜湾曲形状変更手段＞
図５を併せて参照し、湾曲形状変更手段８は、背凭れ６の幅方向（左右方向）における中央部２４と両端部２５とを前後に相対移動させて、受面構成部２０の湾曲形状を変更する。なお、前記幅方向とは、背凭れ基板２１の左右端部に渡る方向であり、本実施形態では左右方向に相当する。また、背凭れ基板２１の上下端部に渡る方向（概ね上下方向に相当）を高さ方向とする。
【００２０】
湾曲形状変更手段８は、図３に示すように、背凭れ６の中央部２４を背凭れ支持部材７に移動を制限した状態に保持する保持部４０を有する。背凭れ６の両端部２５は、背凭れ支持部材７に対して前後に移動可能な移動端部４１とされる。保持部４０は、背凭れ６の中央部２４の上端部を背凭れ支持部材７の枠部３０の上端部に保持する上保持部４２と、背凭れ６の中央部２４の下端部と背凭れ支持部材７の下端部とを係合させる下係合部４３と、を有する。
【００２１】
上保持部４２は、例えば締結手段や係止爪等を含み、背凭れ６の中央部２４の上端部を背凭れ支持部材７の枠部３０の上端部に保持する。上保持部４２による背凭れ６の中央部２４の上端部の保持は、背凭れ６の幅方向の中心とその両脇の三か所で行われる。
【００２２】
下係合部４３は、背凭れ基板２１の中央部２４の下端部と、中央部２４の下端部を後方から当接させるべく背凭れ支持部材７の連結部３３上に起立する係合壁４３ａと、を有する。下係合部４３は、背凭れ基板２１を背凭れ支持部材７に取り付けた状態では、背凭れ基板２１の弾性により中央部２４の下端部を係合壁４３ａに後方から当接させ、背凭れ基板２１の下端部の前方への移動（抜け）を規制する。一方、背凭れ６に着座者の背中からの荷重が入力されると、下係合部４３は、中央部２４の下端部を係合壁４３ａの後方に離間させることで、背凭れ基板２１の下端部の後方への変位を許容する。
【００２３】
下係合部４３は、中央部２４の下端部及び係合壁４３ａの係合が解除されない範囲で、背凭れ基板２１の下端部の左右方向及び上下方向の変位も許容する。下係合部４３による背凭れ６の中央部２４の下端部の保持は、背凭れ６の幅方向の中心の一か所で行われる。なお、背凭れ６の中央部２４の上端部を高さ方向等で移動可能に保持し、中央部２４の下端部を拘束状態に保持した構成でもよい。また、中央部２４の前後方向の移動を制限すれば、中央部２４の上下端部をともに高さ方向等で移動可能に保持した構成でもよい。
【００２４】
移動端部４１は、背凭れ支持部材７に対して比較的自由に移動可能な背凭れ６の自由端であり、背凭れ支持部材７に対して前後に移動可能な構成となっている。すなわち、移動端部４１は、保持部４０を支点とする背凭れ６（背凭れ基板２１）の弾性変形によって、前後に移動可能である。移動端部４１は、背凭れ６の突出部２３に対応する位置に設けられている。背凭れ６の突出部２３に対応する位置には、湾曲形状変更手段８の操作部材５０が配置されており、移動端部４１は、操作部材５０の押圧によって前後に移動する構成となっている。
【００２５】
操作部材５０は、図１に示すように、背凭れ６及び背凭れ支持部材７のいずれか一方（本実施形態では背凭れ支持部材７）に移動可能に支持されている。操作部材５０は、背凭れ６の中央部２４と両端部２５とを前後に相対移動させるためのものであり、着座者が把持可能な把持部５１を有する。把持部５１は、着座者の操作性を向上させるものであり、略Ｌ形状を有すると共に、背凭れ６の側部に突出し、着座者が座体４に座った状態で把持可能な構成となっている。
【００２６】
操作部材５０は、背凭れ６及び背凭れ支持部材７の互いに対向する対向面２６，３４のいずれか一方側（本実施形態では対向面３４側）に回転可能に支持される基端部５２と、基端部５２を中心に回動し、背凭れ６及び背凭れ支持部材７の対向面２６，３４の他方側（本実施形態では対向面２６側）を押圧する先端部５３と、を有する。また、背凭れ６及び背凭れ支持部材７の対向面２６，３４の他方側（本実施形態では対向面２６側）には、図６に示すように、先端部５３の回動軌跡に沿って、先端部５３と係合可能な係合溝６０が形成されている。
【００２７】
係合溝６０は、背凭れ６の背後で両端部２５の外形に沿って設けられている。すなわち、係合溝６０は、高さ方向（上下方向）に延在している。また、係合溝６０は、背凭れ６の突出部２３に対応する位置を上下で跨ぐように延在しており、背凭れ６の突出部２３より下側の傾斜形状に沿って幅方向（左右方向）内側に曲がるように形成されている。
【００２８】
係合溝６０は、図７に示すように、所定の摺動性を有するライナー６１とライナー支持部材６３における保持部６４とによって形成されている。ライナー６１は、操作部材５０の先端部５３と摺接するものであり、先端部５３の形状に対応した形状を有している。本実施形態の操作部材５０の先端部５３は、ボール状（球状）に形成されており、ライナー６１は、断面視で円弧状に形成されている。ライナー６１は、第１ライナー部材６１ａと第２ライナー部材６１ｂに分割可能に構成されている。第１ライナー部材６１ａと第２ライナー部材６１ｂは、凹凸の嵌合部６２によって組み合わせ可能に構成されている。
【００２９】
ライナー６１は、ライナー支持部材６３によって背凭れ６（背凭れ基板２１）の背後に固定されている。ライナー支持部材６３は、ライナー６１を保持する保持部６４と、背凭れ基板２１に係合可能な係合突起６５と、を有する。保持部６４は、ライナー６１の外径よりも狭い間隔で、一対で設けられている。係合突起６５は、ライナー支持部材６３の内側において、幅方向（左右方向）に突出して設けられている。なお、係合突起６５は、不図示であるがライナー支持部材６３の左右の適所に複数設けられている。また、ライナー６１とライナー支持部材６３とは、二色成型等の手段により一体的に形成してもよい。
【００３０】
背凭れ基板２１は、ライナー支持部材６３を取り付け可能な取付溝６６を有する。取付溝６６には、複数のリブ６７が立設している。ライナー６１は、ライナー支持部材６３と複数のリブ６７との間に挟まれて固定されている。リブ６７には、ライナー支持部材６３の係合突起６５と係合する係合穴６８が設けられている。係合穴６８は、リブ６７に幅方向（左右方向）に貫通して設けられている。係合突起６５と係合穴６８とが係合することで、ライナー支持部材６３が背凭れ基板２１に対して固定される。
【００３１】
操作部材５０は、先端部５３が係合溝６０に係合する一方、基端部５２が回転軸６９に回転自在に支持されている。回転軸６９は、幅方向に延在し、背凭れ支持部材７に設けられている。基端部５２は、回転軸６９が挿通する軸受穴７０を有する。軸受穴７０の径は、回転軸６９の径よりも大きくなるように設計されている。すなわち、基端部５２は、回転軸６９の軸線と直交する方向にガタを有している。本実施形態の操作部材５０は、このガタにより、係合溝６０に沿って先端部５３を幅方向（左右方向）に移動可能としている。
【００３２】
着座者は、座体４に座った状態で、背凭れ６の左右に突出する操作部材５０の把持部５１を把持し、上方に引き上げる。操作部材５０は、基端部５２が背凭れ支持部材７に回転可能に支持されており、基端部５２を中心に先端部５３が上方に回動する（図１参照）。先端部５３が上方に回動すると、操作部材５０は、背凭れ６及び背凭れ支持部材７の互いに対向する対向面２６，３４間に突っ張り、対向面２６，３４間の距離を押し広げる。背凭れ支持部材７は、背凭れ６よりも剛性が高く、背凭れ６側が弾性変形する。
【００３３】
背凭れ６は、中央部２４が保持部４０によって背凭れ支持部材７に前方への移動を制限した状態で保持されており、両端部２５が背凭れ支持部材７に対して比較的自由に移動可能とされている。このため、背凭れ６の両端部２５が、操作部材５０の押圧によって前方に移動する（図５参照）。このときの両端部２５（移動端部４１）の移動軌跡を図中曲線ｍ１で示す。背凭れ６の両端部２５が前方に移動すると、背凭れ６の受面構成部２０の曲率が大きくなり、受面構成部２０の湾曲形状が形状Ｃ１から形状Ｃ２に変更される。
【００３４】
本実施形態では、背凭れ６の背後が背凭れ支持部材７によって支えられているため、強度を背凭れ支持部材７によって確保できる分、背凭れ６全体の剛性を下げても着座者の荷重を受けることができる。したがって、背凭れ６に十分な弾性を与えて、受面構成部２０の湾曲形状を大きく変更させることができる。また、背凭れ６は、その幅方向における中央部２４と両端部２５とを前後に相対移動させるため、湾曲形状変更の際に幅方向における両端部２５の間隔が大きく変更されることはない。
【００３５】
また、本実施形態では、背凭れ６の幅方向における中央部２４を背凭れ支持部材７に移動を制限した状態で保持し、背凭れ６の幅方向における両端部２５に設けられた移動端部４１を操作部材５０で押圧して前後に移動させるようになっている。この移動端部４１は、背凭れ６の前方に屈曲する突出部２３に対応する位置に設けられている。この突出部２３は着座者の腰部を支えることで座り心地に影響する部分であるため、突出部２３に対応する位置を前後に移動させることで、着座者の着座感を容易に変更できる。例えば、着座者の腰をホールドするように背凭れ６の湾曲形状を変更することで、着座者の側方へのズレを防止することができる。
【００３６】
このように、上述の本実施形態によれば、着座者と接して荷重を受ける受面構成部２０を有する背凭れ６と、背凭れ６を背後から支える背凭れ支持部材７と、背凭れ６の幅方向における中央部２４と両端部２５とを前後に相対移動させて受面構成部２０の湾曲形状を変更する湾曲形状変更手段８と、を有する、という構成を採用することによって、背凭れ６の湾曲形状を大きく変更可能であると共に着座者を支持する力の低下を抑制可能である椅子１が得られる。
【００３７】
なお、操作部材５０の先端部５３が背凭れ６の対向面側を押圧する構成について説明したが、操作部材５０の先端部５３が背凭れ支持部材７の対向面側を押圧する構成であっても良い。また、操作部材５０を用いずに直接手で背凭れ６の幅方向における中央部２４と両端部２５とを前後に相対移動させる構成であっても良い。
【００３８】
＜背凭れ基板＞
図８〜図１０に示すように、背凭れ基板２１は、その外縁部を形成する外周枠部８１と、外周枠部８１の内周方で表面（前面）から裏面（後面）へ貫通する開口部８７を一定パターンで複数形成する網目状の開口形成部８６と、を有する。背凭れ基板２１は樹脂成型により一体形成されている。
【００３９】
外周枠部８１は、背凭れ６の背面視形状を形成するべく、四隅が丸みを帯びた略長方形状とされている。外周枠部８１は、背面視で略水平に左右に延びる上下辺部８２，８３、並びに上下辺部８２，８３の左右それぞれの端部間に渡る左右辺部８４，８５を有する。背凭れ基板２１における背凭れ６の突出部２３に対応する部位は、前方に屈曲する基板突出部２３ａとされる。
【００４０】
外周枠部８１の背面視において、左右辺部８４，８５は、その上端から基板突出部２３ａに至るまで漸次左右幅を広げて形成される。左右辺部８４，８５における基板突出部２３ａを含む下部の個々の左右幅は、上下辺部８２，８３の個々の上下幅よりも広くされる。左右辺部８４，８５における基板突出部２３ａから下方の部位は、下側ほど背凭れ６の幅方向内側に位置するように傾斜している。
【００４１】
開口形成部８６は、外周枠部８１の上下辺部８２，８３に渡るように上下に延びる複数の線条体８８と、各線条体８８をその左右に隣接する他の線条体８８又は外周枠部８１に連結する複数の連結部８９と、を有する。開口形成部８６は、外周枠部８１に対して樹脂残存率が小さく、かつ外周枠部８１よりも細身の線条体８８及び連結部８９で構成されることから、外周枠部８１に比して可撓性に富み、背凭れ基板２１の面方向としての面沿いの幅方向（概ね左右方向）及び面沿いの高さ方向（概ね上下方向）、並びに背凭れ基板２１の面直方向としての厚さ方向（概ね前後方向）で柔軟に弾性変形する。これにより、クッションの底付き感を抑えた柔軟な着座感を実現するとともに、湾曲形状変更手段８による受面構成部２０の湾曲形状の変形を容易にする。背凭れ基板２１の剛性は、比較的剛性の高いフレームとしての外周枠部８１により確保される。
【００４２】
外周枠部８１を含む背凭れ基板２１全体、ひいては背凭れ６は、さらに剛性の高い背凭れ支持部材７に比べて全体的に適度な可撓性を有しており、着座者からの荷重や湾曲形状変更手段８の操作等により弾性変形可能である。
【００４３】
背凭れ６は、その幅方向の中央部２４が背凭れ支持部材７に移動を制限した状態に保持された状態で、幅方向の両端部２５に設けられた移動端部４１が背凭れ支持部材７に支持された操作部材５０に押圧される。これにより、幅方向の中央部２４に対して幅方向の両端部２５を前方に変位させるとともに、前記押圧を解除することで幅方向の両端部２５を後方に変位させる。
【００４４】
この構成において、背凭れ６の中央部２４の下端部は完全な固定ではなく、前方への移動を規制するのみであり、移動端部４１の前後の移動に追従して上下左右にも柔軟に変位する。このため、操作部材５０の操作に要する力が小さくて済み、操作部材５０の操作性が向上する。
【００４５】
なお、上固定部は完全固定として背凭れ６を弾性変形させてもよいが、上保持部４２にも適度の遊びを設けることによって、背凭れ６の中央部２４の上端部も下係合部４３と同様に半固定状態とすれば、背凭れ６が背凭れ支持部材７に対して動きやすくなると共に、操作部材５０の操作性がより軽くなる。
【００４６】
背凭れ基板２１は、幅方向の両端部２５が幅方向の中央部２４よりも前方（着座者側）に位置するように、図９の平面視で全体的に後方（反着座者側）に凸の湾曲形状に形成される。外周枠部８１の左右辺部８４，８５においては、図９の平面視で前方に凸の湾曲形状に形成されており、その内側方の開口形成部８６における後方に凸の湾曲形状と面一に連なる。
【００４７】
また、背凭れ基板２１は、下端部よりもやや上方の部位（上下中間部よりもやや下方の部位、基板突出部２３ａと同等の高さの部位）が、前方に凸の基板突出部２３ａとなるように、図１０の側面視で前方に凸の緩やかな屈曲形状に形成される。背凭れ基板２１は、基板突出部２３ａよりも上方の左右内側では、側面視で後方に凸の緩やかな凹状に湾曲する。背凭れ基板２１の上端部では、側面視の湾曲が上前方に凸の湾曲形状に切り替わる。
【００４８】
以上の背凭れ基板２１の形状は、着座者側の前面の形状であり、この背凭れ基板２１の形状に沿って受面構成部２０が形成されることで、着座者の腰及び背中に沿ってこれらが後方から良好に支持されるとともに、背凭れ６外周のエッジ感も抑えられる。また、背凭れ基板２１は、特に基板突出部２３ａの幅方向両端部を大きく前方に変位させており、基板突出部２３ａにおける平面視の曲率を大きくして着座者の腰部の左右方向のサポートを強める。背凭れ基板２１は、その上端部が拘束される都合もあり、上側ほど前記曲率を小さくしている。
【００４９】
各線条体８８は、図１１の正面視で、他の線条体８８と交差することなく高さ方向に延びるとともに、高さ方向の中間部が高さ方向の両端部よりも幅方向の中央側に凸となるように湾曲する。図中曲線ｋ１は各線条体８８の正面視の湾曲基準線を示す。この湾曲の幅方向中央側の頂部８８ａは、基板突出部２３ａと同等の高さにある。各線条体８８は、背凭れ基板２１の側面視形状に沿うようにも湾曲することから（図１０参照）、前方かつ幅方向中央側に凸の三次元的な湾曲形状をなしている。
【００５０】
各線条体８８の正面視の曲率は、基板突出部２３ａの高さにおいて最大であり、基板突出部２３ａの上方及び下方においては端部に至るほど漸次小さくなる。また、各線条体８８の正面視の曲率は、幅方向中央側の線条体８８ほど小さい設定とされる。
【００５１】
各線条体８８の頂部８８ａが位置する高さの部位（基板突出部２３ａ）では、その上方及び下方に比して線条体８８の数が最も多くなる。当該部位を背凭れ基板２１のランバー部（腰部支持部）とすると、ランバー部ではメインビーム（線条体８８）の数が増すことで支持荷重を増している。また、前記の如く三次元的に湾曲した各線条体８８は、前方からの荷重により頂部８８ａが左右中央側かつ後方に倒れるように捩じれを伴う変形をする。各線条体８８は、湾曲形状変更手段８を作動させたときにも、頂部８８ａが左右中央側かつ後方に倒れるように捩じれを伴う変形をし、これによって外周枠部８１の変位を助長する機能を有する。
【００５２】
このため、各線条体８８が前方からの荷重に対して単に後湾するように変形する場合よりも、背凭れ基板２１が特にランバー部において柔軟に変形する。また、各線条体８８の湾曲形状は、背凭れ基板２１の幅方向中心線ＣＬを挟んで対称をなしており、前記捩じれを伴う変形によりランバー部でのメインビーム数がより密になる。これは、湾曲形状変更手段８の作動により湾曲を強めた場合も同様で、ランバー部の平面視の曲率が大きくなることと併せて、腰部のサポート力が増大する。基板突出部２３ａの幅方向中央側の部位は、開口形成部８６の内の最も強度が必要な部位（最も荷重を受ける部位）であり、本実施形態では、当該部位にのみ、開口部８７内に後述する架設部９５を設けている。
【００５３】
各線条体８８は、その両端部が外周枠部８１の上下辺部８２，８３にそれぞれ接続されるが、背凭れ６の幅方向の両端部２５に近接する線条体８８のみ、その両端側が幅方向外側に傾くことで、この線条体８８の両端部が外周枠部８１の左右辺部８４，８５にそれぞれ接続される。
【００５４】
図１０に示すように、各線条体８８は、背凭れ基板２１の厚さ方向の寸法ｔ１を背凭れ基板２１の部位に応じて適宜変化させる。具体的には、各線条体８８の厚さ方向の寸法ｔ１は、高さ方向では上辺部８２と基板突出部２３ａとの間の中間部で最も大きく、その上方では漸次寸法ｔ１を小さくして上辺部８２に接続され、下方では漸次寸法ｔ１を小さくした後にランバー部を経て下辺部８３に接続される。また、各線条体８８の厚さ方向の寸法ｔ１は、幅方向では中央側ほど大きく、両端側ほど漸次小さい設定とされる。これら各線条体８８の何れの部位に対しても、前記連結部８９の厚さ方向の寸法ｔ２は小さい設定とされる。
【００５５】
各線条体８８は、着座者からの荷重を受けると、外周枠部８１に一体化された両端部を残し、着座者の背中に沿って後湾するように変形するとともに、最もカーブの大きい部位（頂部８８ａ）から後方へ捩じれるように変形する。このとき、最も後方へ撓み易いのは、外周枠部８１に接続された上拘束部と頂部８８ａとの間の中間部位であるが、当該部位では線条体８８の前後方向の厚みが大となっていることから、捩じれ変形の集中が抑えられる。また、左右に延びる連結部８９により線条体８８同士が連結されるので、捩じれ変形した線条体８８同士の間に段差が生じないようにされる。
【００５６】
図８、図１２を参照し、連結部８９は、複数の線条体８８のそれぞれの幅方向両側の空隙部９１に配置され、各線条体８８から幅方向に延びて該線条体８８を空隙部９１を挟んだ他の線条体８８又は外周枠部８１に連結する。連結部８９は、高さ方向で等間隔に複数形成され、かつ各線条体８８の幅方向両側で高さ方向の位置を半ピッチ分異ならせる。これにより、複数の連結部８９が背凭れ基板２１全体に千鳥状に配置される。これら複数の連結部８９と複数の線条体８８とによって、背凭れ基板２１全体に複数の開口部８７が千鳥状に形成される。換言すれば、背凭れ基板２１の開口形成部８６は、上下に延びる複数の線条体８８と隣り合う線条体８８間を連結する連結部８９とで網目状に形成される。
【００５７】
ここで、各線条体８８は、高さ方向で相互に連なる複数の線条体構成部９２から構成される。各線条体構成部９２は、各線条体８８の前記湾曲基準線ｋ１に対し、下側ほど幅方向中央側に位置するように傾斜するものと、下側ほど幅方向外側に位置するように傾斜するものとに大別される。これら正面視で異なる向きに傾斜する線条体構成部９２が交互に連なることで、各線条体８８が正面視で蛇行しながら上下に延びる構成とされる。この線条体８８は、直線状に伸びる又は蛇腹状に屈曲するような変形により、湾曲形状変更手段８を作動させた際の高さ方向の伸縮を容易にしている。また、前記伸縮は、図５、図９に示すように、湾曲形状変更手段８の機能により、外周枠部８１の両端部が内向きの曲線ｍ１に沿って移動し、外周枠部８１の両端部同士の幅方向の距離が狭まることにより生じるものである。
【００５８】
図１２を参照し、幅方向で隣接する一対の線条体８８のそれぞれは、これらの間の正面視の中心線（前記湾曲基準線ｋ１間の中心線）ｋ２を挟んで互いに対称をなすように傾斜する線条体構成部９２を有している。これにより、幅方向で隣接する一対の線条体８８のそれぞれは、前記中心線ｋ２を挟んで互いに対称をなすように蛇行して形成される。
【００５９】
幅方向で隣接する一対の線条体８８の間を連結する複数の連結部８９は、前記一対の線条体８８のそれぞれにおける複数の線条体構成部９２の幅方向で互いに近接する端部９２ａの間を連結する。これにより、線条体８８及び連結部８９により形成される各開口部８７が、高さ方向両端部での幅よりも高さ方向中間部での幅が大の六角形状に形成される。前記一対の線条体８８間の空隙部９１の幅は、該空隙部９１内で高さ方向に等間隔に並ぶ連結部８９間のピッチよりも小であり、各開口部８７は高さ方向に長い縦長の六角形状に形成される。網目状の開口形成部８６は、枠状の線条体８８及び連結部８９で形成される六角形状の開口部８７を千鳥状に配置し、これらを面方向（高さ方向及び幅方向）で伸縮可能とする。
【００６０】
連結部８９は、正面視六角形状の開口部８７の幅方向両側における開口外側方に凸の頂部（線条体構成部９２の端部９２ａ）を、隣接する開口部８７の同頂部に連結する。これにより、湾曲形状変更手段８を作動させた際に各線条体８８が互いに幅方向で接近するように変位すると、図１３に示すように、連結部８９が開口部８７の前記頂部を開口内側方に押し込み、開口部８７両側の線条体８８を上下に伸ばすように変形させる。その結果、開口部８７が左右に縮まるとともに上下に伸びるように変形する。連結部８９の厚さ方向の寸法ｔ２は各線条体８８の厚さ方向の寸法ｔ１よりも小さいが、ランバー部においては連結部８９の高さ方向の寸法ｔ３（図１２参照）が他部位の連結部８９のそれよりも大きく設定され、開口部８７を左右に縮める力を強めている。また、ランバー部の連結部８９のｔ３が他部位の連結部８９よりも大きいことで、連結部８９がより板形状に近付き、前方からの荷重に対してはより面方向に変形し易くなる。
【００６１】
前述したように、開口形成部８６のランバー部を構成する部位では、開口部８７内に架設部９５が設けられる。架設部９５は、正面視六角形状の開口部８７内を上下に延びるもので、図１２に示すように、開口部８７の上下端に前記中心線ｋ２と重なる開口中心線ｋ３上で接続される上下の延設片９６と、上下延設片９６間に設けられる撓み助長部９７と、を有する。
【００６２】
撓み助長部９７は、前記開口中心線ｋ３を挟んで対称をなすように分離した一対の架設線条体９８を有する。各架設線条体９８は、開口部８７における互いに対向する上下辺部間に渡る開口中心線ｋ３に対して、高さ方向の中間部を開口中心線ｋ３側に湾曲させた湾曲部９８ａを有する。
【００６３】
開口部８７は、その外周を囲む外周線条体（線条体８８及び連結部８９）によって形成されるが、撓み助長部９７は、正面視で外周線条体よりも細い架設線条体９８で形成される。撓み助長部９７は、開口中心線ｋ３上の延設片９６を介して外周線条体に接続されるので、外周線条体の変形の影響が少なく、開口部８７とは独立して個別に変形可能とされる。また、撓み助長部９７は、一対の湾曲部９８ａにより上下に撓み易く、かつ一対の架設線条体９８間が開口することで左右方向にも撓み易く、さらに上下延設片９６を中心に捩じれる変形も許容する。
【００６４】
このような撓み助長部９７は、開口部８７の変形を阻害することなく、独立して柔軟に変形し、湾曲形状変更手段８による変形を許容するとともに着座者からの荷重を受ける。また、撓み助長部９７が単一の線条体からなる場合と比べて、撓み助長部９７が開口部８７内に広がって配置されるため、開口部８７内に着座者の身体が入り込む感覚が良好に抑えられる。
【００６５】
以下、背凭れ基板２１の作用について説明する。
まず、背凭れ６の受面構成部２０に着座者の身体から後向きの荷重が入力されると、シート表皮材２２及びクッション材を介して背凭れ基板２１の適所に同様の荷重が概ね面直方向で入力される。この入力により、特に開口形成部８６の各線条体８８が面直方向で撓むとともに、各開口部８７を面方向で伸縮させるように弾性変形する。
【００６６】
各開口部８７は、それぞれ高さ方向に長い縦長であることから、幅方向に伸縮する変形を生じ易い。各開口部８７は千鳥状に配置されることから、その幅方向の両側には連結部８９が配置され、この連結部８９に幅方向で押される又は引かれることで、各開口部８７が幅方向に伸縮し易い。ランバー部に設けた架設部９５は開口部８７の高さ方向に渡ることから、開口部８７の幅方向の変形に影響し難い。各開口部８７が湾曲形状変更手段８の作動により幅方向の伸縮に伴い高さ方向に伸縮する際にも、架設部９５の撓み助長部９７により高さ方向の変形が許容される。
【００６７】
各開口部８７は、湾曲形状変更手段８の作動により高さ方向に伸縮するように変形する際には、幅方向で開口外側方に凸の両側部が高さ方向に屈伸して良好に変形する。架設部９５は、開口部８７の高さ方向に渡るものの、架設部９５自身が有する撓み助長部９７により、開口部８７の高さ方向の変形にも良好に追従する。開口部８７が捩じれるような変形をする際にも、架設部９５が開口部８７の外周線条体に一対の略同軸上の延設片９６を介して連結されることで、開口部８７の変形と影響し合うことが抑えられる。
【００６８】
架設部９５が設けられるランバー部では、着座者の身体がより強く接するが、当該部位の開口部８７内に設けた架設部９５でも着座者の荷重を受けるので、身体の一部が開口部８７内に入り込むような感覚が抑えられる。また、架設部９５自体が変形し易いこともあり、柔軟な着座感への影響が抑えられる。背凭れ基板２１の荷重を受け易い部位にのみ、開口部８７内にその変形を阻害しない架設部９５（閉塞部）を設けることで、張り包みタイプの背凭れ６において、柔軟な着座感を得るべく背凭れ基板２１の網目を粗くしても（開口部８７を大きくしても）、荷重を受け易い部位の開口部８７内にクッション材やシート表皮材２２が入り込み難く、当該部位でシート表皮材２２に背凭れ基板２１の網目の跡がつくようなことがない。
【００６９】
背凭れ６の中央部２４の下端部は、前方への変位を規制されるのみであり、湾曲形状変更手段８の操作により平面視の湾曲形状を変更する際にも、上下左右に柔軟に変位するため、操作部材５０の操作を軽くして操作性を向上させる。ランバー部の湾曲を強める際、ランバー部の各開口部８７は幅方向に縮められるが、この変形は架設部９５に阻害されず、かつ各開口部８７が湾曲形状変更手段８の作動又は前方からの荷重により高さ方向に伸びる際にも、架設部９５の撓み助長部９７により高さ方向の変形が良好になる。
【００７０】
前方かつ幅方向中央側に凸の三次元的な湾曲形状の各線条体８８は、特にカーブの大きい部位（頂部８８ａ）が集まるランバー部において柔軟に変形する。また、湾曲形状変更手段８の作動又は前方からの荷重により各線条体８８が後方へ捩じれるように変形することで、ランバー部の線条体８８の数及び平面視の曲率が増加し、腰部のサポート力が増大する。このように、線条体８８自体を変形し易くして柔軟な着座感を得るとともに、荷重支持を良好に行うことができる。
【００７１】
以上説明したように、上記実施形態の椅子１の荷重支持部材（背凭れ６）の基板構造は、椅子１における着座者と接して荷重を受ける受面構成部２０の背凭れ基板２１に、その表面から裏面に貫通する開口部８７を一定に複数形成した開口形成部８６を備えることによって、前記背凭れ基板２１の面方向の弾性変形を助長させたものにおいて、前記開口形成部８６の内の特定部位にのみ、前記開口部８７の対向端部間に渡る架設部９５を備え、前記架設部９５は、前記対向端部間に渡る開口中心線ｋ３に対して少なくとも一部が湾曲又は屈曲して延びる撓み助長部９７を備えるものである。
この構成によれば、開口部８７の対向端部間に設けた架設部９５が、開口部８７の対向端部間に渡る方向で撓み易くなるため、開口部８７を大きくして背凭れ基板２１における開口形成部８６を柔軟にした上で、その特定部位の開口部８７内の樹脂の残存率を大とし、着座者の体重を支え得る強度を確保できる。すなわち、開口部８７内の架設部９５でも荷重を支持し、開口部８７内に身体が落ち込む感覚や開口部８７の周縁部に接する感覚を抑えることができる。
【００７２】
また、前記架設部９５は、前記開口部８７の対向端部から前記開口中心線ｋ３に沿って延びる延設片９６を備える。
この構成によれば、架設部９５の撓み助長部９７が延設片９６によって開口部８７の対向端部から確実に切り離され、撓み助長部９７が独立して変形し易くなるとともに、延設片９６を中心に架設部９５が捩じれる変形も容易になり、着座感をより柔軟にできる。
【００７３】
また、前記撓み助長部９７は、前記開口中心線ｋ３を挟んで対称をなすように分離した架設線条体９８を有する。
この構成によれば、撓み助長部９７が開口部８７内でさらに開口を形成する体裁をなし、荷重を受けた際に面方向に変形し易くなり、着座感をより柔軟にできるとともに、分離した架設線条体９８により開口部８７の広範囲に閉塞部材を配し、開口部８７内に身体が落ち込む感覚等を良好に抑えることができる。
【００７４】
また、前記開口部８７は、その外周を囲む外周線条体（線条体８８及び連結部８９）によって形成され、前記撓み助長部９７は、前記外周線条体よりも細い架設線条体９８で形成される。
この構成によれば、開口部８７の外周線条体よりも細身の架設線条体９８により架設部９５がより変形し易くなり、着座感をより柔軟にできる。
【００７５】
また、前記開口部８７は、正面視で六角形状をなすように形成され、前記架設部９５は、前記開口部８７の正面視形状における互いに対向する一対の対向辺部間に渡って設けられる。
この構成によれば、架設部９５の伸縮により六角形状の開口部８７の変形のし易さが保たれ、着座感をより柔軟にできる。
【００７６】
また、着座者の背中を支持する背凭れ６に適用され、前記背凭れ６は、その下端部よりも上方に着座者側に突出する身体支持部（突出部２３）を形成し、前記架設部９５は、前記突出部２３を含む部位に形成される。
この構成によれば、背凭れ６における荷重が加わり易い突出部２３での開口部８７内に身体が落ち込む感覚等を抑えることができる。また、突出部２３が着座者の腰に相当する位置にあれば、より柔軟な支持が望まれる部位において確実に柔軟な着座感を得ることができる。
【００７７】
また、前記背凭れ６は、前記背凭れ基板２１の表面にクッション材を有する。
この構成によれば、クッション材を有する張り包みタイプの背凭れ６において、柔軟な着座感を得るべく背凭れ基板２１の開口部８７を大きくしても、背凭れ基板２１の荷重を受け易い特定部位に架設部９５を設けることによって、当該部位で開口部８７内にクッション材が入り込み難くし、背凭れ６の表面に開口部８７の跡が付き難くして、背凭れ６の表面の見栄えを良好に維持できる。
【００７８】
なお、本発明は上記実施形態に限られるものではなく、例えば、荷重支持部材は、座体４及び背凭れ６の他、ランバーサポートやヘッドレスト等であってもよい。荷重支持部材は、背凭れ基板２１にクッション材及び表皮等を設けることで背凭れ基板２１が荷重支持部材の一部を構成するものに限らず、背凭れ基板２１が荷重支持部材の全部を構成するものであってもよい。上記実施形態では、受面構成部２０が背凭れ基板２１並びにその前面を覆うウレタンクッション及び表皮材等を含む構成について説明したが、ウレタン以外のクッション材であってもよく、あるいは表皮材のみで背凭れ基板２１を覆う構成であってもよい。
【００７９】
上記実施形態では、背凭れ６の幅方向における中央部２４を移動制限状態に保持し、背凭れ６の幅方向における両端部２５を前後に移動させる構成について説明したが、背凭れ６の幅方向における両端部２５を保持し、背凭れ６の幅方向における中央部２４を前後に移動させる構成であってもよい。
線条体構成部９２が線条体８８の一部を形成する構成であってもよい。各部位の湾曲形状を屈曲形状とし、屈曲形状を湾曲形状とした構成であってもよい。前記屈曲形状は単一の屈曲のみならず複数の屈曲を含む形状であってもよい。
架設部９５の変形例として、上下端部が開口部８７の対向端部又は延設片９６に連設された薄板状のものであってもよい。この場合、薄板の架設部全体が撓み助長部となり、上記同等の作用効果を得ることが可能である。
そして、上記した構成は本発明の一例であり、当該発明の要旨を逸脱しない範囲で種々の変更が可能である。
【符号の説明】
【００８０】
１  椅子
６  背凭れ（荷重支持部材）
２０  受面構成部
２１  背凭れ基板（基板）
２３  突出部（身体支持部）
８６  開口形成部
８７  開口部
８８  線条体（外周線条体）
８９  連結部（外周線条体）
９５  架設部
９６  延設片
９７  撓み助長部
９８  架設線条体
ｋ３  開口中心線
【図１】
2015134086.tif 000003
【図２】
2015134086.tif 000004
【図３】
2015134086.tif 000005
【図４】
2015134086.tif 000006
【図５】
2015134086.tif 000007
【図６】
2015134086.tif 000008
【図７】
2015134086.tif 000009
【図８】
2015134086.tif 000010
【図９】
2015134086.tif 000011
【図１０】
2015134086.tif 000012
【図１１】
2015134086.tif 000013
【図１２】
2015134086.tif 000014
【図１３】
2015134086.tif 000015